(57)【要約】【課題】自動車のエアコン吹き出し口に取り付ける携帯機器や飲料容器などの物品ホルダにおいて、スマートフォンやデジタル音楽プレイヤーなどのディスプレイの運転席や助手席からの視認性を高めた自動車用携帯機器ホルダを提供する。【解決手段】自動車のエアコン吹き出し口に取付フック（３）を用いて取り付ける携帯機器（４）や飲料容器（５）などの物品ホルダにおいて、本体は、携帯機器を保持する保持部とベース部とからなり、該保持部は携帯機器を保持したときに該携帯機器のディスプレイの向きを変えることが可能に該ベース部に支持した。【選択図】図１
2013256239.tif 000002
【特許請求の範囲】
【請求項１】
自動車のエアコン吹き出し口に取付フックを用いて取り付ける携帯機器や飲料容器などの物品ホルダにおいて、本体は、携帯機器を保持する保持部とベース部とからなり、該保持部は携帯機器を保持したときに該携帯機器のディスプレイの向きを変えることが可能に該ベース部に支持されていることを特徴とする自動車用携帯機器ホルダ。
【請求項２】
自動車のエアコン吹き出し口に取付フックを用いて取り付ける携帯機器や飲料容器などの物品ホルダにおいて、本体は、携帯機器を保持する保持部とベース部とからなり、該保持部はベースに水平方向かつ上下方向に首振り可能に保持されていることを特徴とする自動車用携帯機器ホルダ。
【請求項３】
自動車のエアコン吹き出し口に取付フックを用いて取り付ける携帯機器や飲料容器などの物品ホルダにおいて、本体は、携帯機器を保持する保持部とベース部とからなり、該保持部と該ベース部との間に飲料容器保持部を備えたことを特徴とする請求項１または請求項２に記載の自動車用携帯機器ホルダ。
【発明の詳細な説明】
【技術分野】
【０００１】
本発明は、自動車用の携帯機器ホルダに関し、特にスマートフォン、デジタル音楽プレイヤーなどの携帯機器を自動車内で保持するのに適したホルダに関する。
【背景技術】
【０００２】
従来、携帯電話機やデジタル音楽プレイヤーなどの携帯機器を自動車内に載置するためのホルダが種々提案されており、その中にエアコン吹き出し口に取り付けるホルダがある。例えば、特開平１０−１８１４１５号公報（特許文献１）に開示された自動車用飲料容器及び携帯電話等の保持具は、エアコン吹き出し口のルーバーに取り付けて、飲料容器あるいは携帯電話機の何れかを選択して保持するものである。
【０００３】
また、意匠登録第１１６０５５０号公報（特許文献２）に開示された自動車用飲料容器保持具は、特許文献１と同様に、エアコン吹き出し口のルーバーに取り付けて、当該公報の使用状態を示す参考図に示されるように、飲料容器と携帯電話機を同時に保持することができ、折り畳み式の携帯電話機を開いた状態でディスプレイが見えるように保持することができるものである。
【０００４】
さらに昨今、スマートフォンなる携帯情報端末機の人気が高まり、携帯キャリア各社から多くの機種が発売されている。これらスマートフォンは、本体の前面ほとんどが４から５インチ程度のマルチタッチ方式のディスプレイで構成され視認性と操作性に優れる。最近ではアプリケーションのインストールによりナビゲーションシステムとしても利用することも可能である。
【先行技術文献】
【特許文献】
【０００５】
【特許文献１】特開平１０−１８１４１５号公報
【特許文献２】意匠登録第１１６０５５０号公報
【発明の概要】
【発明が解決しようとする課題】
【０００６】
特許文献１及び２のホルダに、携帯電話機やスマートフォンなどの携帯機器を保持したとき、携帯機器は単に正面を向いた状態で保持されることになる。従って携帯機器のディスプレイが見える状態で保持させたとしても、運転席や助手席の乗員からはディスプレイを斜めから視認することになり、ディスプレイの視野角の特性から明瞭に視認することができない。
【０００７】
そこで本発明は、かかる課題を考慮し、自動車のエアコン吹き出し口に取り付ける携帯機器や飲料容器などの物品ホルダにおいて、スマートフォンやデジタル音楽プレイヤーなどのディスプレイの運転席や助手席からの視認性を高めた自動車用携帯機器ホルダを提供することを目的としている。
【課題を解決するための手段】
【０００８】
かかる課題を解決するために、本発明の請求項１によれば、自動車のエアコン吹き出し口に取付フックを用いて取り付ける携帯機器や飲料容器などの物品ホルダにおいて、本体は、携帯機器を保持する保持部とベース部とからなり、該保持部は携帯機器を保持したときに該携帯機器のディスプレイの向きを変えることが可能に該ベース部に支持されていることで解決される。
【０００９】
本発明の請求項２によれば、自動車のエアコン吹き出し口に取付フックを用いて取り付ける携帯機器や飲料容器などの物品ホルダにおいて、本体は、携帯機器を保持する保持部とベース部とからなり、該保持部はベースに水平方向かつ上下方向に首振り可能に保持されていることで解決される。
【００１０】
本発明の請求項３によれば、自動車のエアコン吹き出し口に取付フックを用いて取り付ける携帯機器や飲料容器などの物品ホルダにおいて、本体は、携帯機器を保持する保持部とベース部とからなり、該保持部と該ベース部との間に飲料容器保持部を備えたことで解決される。
【発明の効果】
【００１１】
本発明の請求項１によれば、自動車のエアコン吹き出し口に取付フックを用いて取り付ける携帯機器や飲料容器などの物品ホルダにおいて、本体は、携帯機器を保持する保持部とベース部とからなり、該保持部は携帯機器を保持したときに該携帯機器のディスプレイの向きを変えることが可能に該ベース部に支持されているので、運転席あるいは助手席の乗員は、携帯機器のディスプレイを真正面から視認することができ表示された情報を確実に視認すると同時にタッチパネル操作を確実に行うことが可能となる。
【００１２】
本発明の請求項２によれば、自動車のエアコン吹き出し口に取付フックを用いて取り付ける携帯機器や飲料容器などの物品ホルダにおいて、本体は、携帯機器を保持する保持部とベース部とからなり、該保持部はベースに水平方向かつ上下方向に首振り可能に保持されているので、運転席あるいは助手席の乗員は、携帯機器のディスプレイを真正面から視認することができ表示された情報を確実に視認すると同時にタッチパネル操作を確実に行うことが可能となる。
【００１３】
本発明の請求項３によれば、自動車のエアコン吹き出し口に取付フックを用いて取り付ける携帯機器や飲料容器などの物品ホルダにおいて、本体は、携帯機器を保持する保持部とベース部とからなり、該保持部と該ベース部との間に飲料容器保持部を備えたので、運転席あるいは助手席の乗員は、携帯機器（４）のディスプレイを真正面から視認することができ表示された情報を確実に視認すると同時にタッチパネル操作を確実に行うことが可能となる。また、同時に飲料容器保持部に飲料容器も保持することができるので、エアコンの冷風や温風によって飲料容器を保冷、保温をすることが可能となりさらなる使い勝手を向上させた。
【図面の簡単な説明】
【００１４】
【図１】自動車用携帯機器ホルダの正面側から見た斜視図である。（第１実施例）
【図２】自動車用携帯機器ホルダの背面側から見た斜視図である。（第１実施例）
【図３】自動車用携帯機器ホルダの右側面図である。（第１実施例）
【図４】自動車用携帯機器ホルダの平面図である。（第１実施例）
【図５】自動車用携帯機器ホルダの底面図である。（第１実施例）
【図６】保持部の向きを変えた状態を示す底面図である。（第１実施例）
【図７】保持部の向きを変えた状態を示す平面図である。（第１実施例）
【図８】保持部の向きを変えた状態を示す右側面図である。（第１実施例）
【図９】保持部の向きを変えた状態を示す正面側から見た斜視図である。（第１実施例）
【図１０】自動車用携帯機器ホルダの正面側から見た斜視図である。（第２実施例）
【図１１】自動車用携帯機器ホルダの背面側から見た斜視図である。（第２実施例）
【図１２】保持部の向きを変えた状態を示す平面図である。（第２実施例）
【図１３】自動車用携帯機器ホルダの正面側から見た斜視図である。（第３実施例）
【図１４】保持部の向きを変えた状態を示す底面図である。（第３実施例）
【図１５】自動車用携帯機器ホルダの右側面図である。（第３実施例）
【図１６】自動車用携帯機器ホルダを展開した状態を示す右側面図である。（第３実施例）
【図１７】自動車用携帯機器ホルダを展開した状態を示す正面側から見た斜視図である。（第３実施例）
【発明を実施するための形態】
【００１５】
自動車のエアコン吹き出し口に取付フックを用いて取り付ける携帯機器や飲料容器などの物品ホルダにおいて、携帯機器を保持する保持部とベース部とからなり、該保持部は携帯機器を保持したときに該携帯機器のディスプレイの向きを変えることが可能であるので、運転席あるいは助手席の乗員は、携帯機器のディスプレイを真正面から視認することができ表示された情報を確実に視認すると同時にタッチパネル操作を確実に行うことを実現した。
【実施例１】
【００１６】
以下、本発明の自動車用携帯機器ホルダの第1実施例について、図面を参照して詳細に説明する。図１は、本発明の自動車用携帯機器ホルダの正面側から見た斜視図、図２は、自動車用携帯機器ホルダの背面側から見た斜視図、図３は、自動車用携帯機器ホルダの右側面図、図４は、自動車用携帯機器ホルダの平面図、図５は、自動車用携帯機器ホルダの底面図である。
【００１７】
自動車用携帯機器ホルダの本体（１）は、保持部（１ａ）とベース部（１ｂ）とから構成される。該保持部（１ａ）は、携帯機器（４）を保持したときに該携帯機器（４）のディスプレイの向きを変えることが可能に該ベース部（１ｂ）に支持されている。また、該ベース部（１ｂ）の背面には取付フック（３）が備えられ、自動車のエアコン吹き出し口のルーバーに掛け留めることで本体（１）が装着される。
【００１８】
保持部（１ａ）は、スマートフォンやデジタル音楽プレイヤーなどの携帯機器（４）のディスプレイ全体の視認とタッチパネル操作が可能なように前面を解放し携帯機器（４）の左右と底面をホールドして保持するように構成される。
【００１９】
また、図5に示されるように保持部（１ａ）は、携帯機器（４）を保持したときに該携帯機器（４）のディスプレイの向きを変えることが可能なように、該ベース部（１ｂ）と軸支部（１ｃ）によって水平方向に首振り可能に支持されている。さらに、図8に示されるように、保持部（１ａ）は、軸支部（１ｄ）によって上下方向に首振り可能に支持されている。
【００２０】
図６は、保持部（１ａ）の向きを変えた状態を示す底面図、図７は、保持部の向きを変えた状態を示す平面図、図８は、保持部の向きを変えた状態を示す右側面図、図９は、保持部の向きを変えた状態を示す正面側から見た斜視図である。軸支部（１ｃ）及び（１ｄ）によって向きを変えることが可能にベース部（１ｂ）に支持された保持部（１ａ）は、図６の可動範囲に示されるが如く左右方向に首を振って保持した携帯機器（４）のディスプレイの向きを変えることができる。また、図８の可動範囲に示されるが如く上下方向に首を振って保持した携帯機器（４）のディスプレイの向きを変えることができるので、本体（１）が装着されるエアコン吹き出し口の高さや横位置に合わせて運転席、助手席の乗員の目線に最適な位置に広範囲に調整することができる。
【００２１】
以上のように構成した本体（１）は、例えば図９に示されるように、携帯機器（４）を保持した保持部（１ａ）を向かって左方向に向きを変えることができる。これにより助手席の乗員は、携帯機器（４）のディスプレイを真正面から視認することができるようになるので、表示された情報を確実に視認することが可能となるとともに、タッチパネル操作を確実に行うことが可能となる。保持部（１ａ）を向かって右方向に向きを変えれば、運転者にとって携帯機器（４）の視認性が向上するので、アプリケーションのインストールによりナビゲーションシステムとしても利用する際の使い勝手の向上を実現した。
【実施例２】
【００２２】
以下、本発明の自動車用携帯機器ホルダの第２実施例について、図面を参照して詳細に説明する。図１０は、本発明の自動車用携帯機器ホルダの正面側から見た斜視図、図１１は、自動車用携帯機器ホルダの背面側から見た斜視図、図１２は、保持部の向きを変えた状態を示す平面図である。
【００２３】
自動車用携帯機器ホルダの本体（１１）は、保持部（１１ａ）とベース部（１１ｂ）とから構成される。該保持部（１１ａ）は、携帯機器（４）を保持したときに該携帯機器（４）のディスプレイの向きを変えることが可能に該ベース部（１１ｂ）に支持されている。また、該ベース部（１ｂ）の背面には取付フック（３）が備えられ、自動車のエアコン吹き出し口のルーバーに掛け留めることで本体（１１）が装着される。
【００２４】
保持部（１１ａ）は、スマートフォンやデジタル音楽プレイヤーなどの携帯機器（４）のディスプレイ全体の視認とタッチパネル操作が可能に前面を解放し携帯機器（４）の左右と底面をホールドして保持するように構成される。
【００２５】
また、図１０乃至図１２に示されるように保持部（１１ａ）は、携帯機器（４）を保持したときに該携帯機器（４）のディスプレイの向きを変えることが可能なように保持部（１１ａ）の背面に備えられたガイド（１１ｄ）をベース部（１１ｂ）に備えられた平面視円弧状をなしたガイドレール（１１ｅ）に嵌め、沿わして移動することで左右方向に首振り可能に支持されている。
【００２６】
図１２は、保持部（１１ａ）の向きを変えた状態を示す平面図である。ベース部（１ｂ）に備えられたガイドレール（１１ｅ）にガイド（１１ｄ）を嵌めることで向きを変えることを可能に支持された保持部（１１ａ）は、図１２の可動範囲に示されるが如く左右方向に首を振って保持した携帯機器（４）のディスプレイの向きを変えることができる。
【００２７】
以上のように構成した本体（１１）は、携帯機器（４）を保持した保持部（１１ａ）を左右方向に向きを変えることができる。これにより運転者あるいは助手席の乗員は、携帯機器（４）のディスプレイを真正面から視認することができるようになるので、表示された情報を確実に視認することが可能となるとともに、タッチパネル操作を確実に行うことが可能となる。
【実施例３】
【００２８】
以下、本発明の自動車用携帯機器ホルダの第３実施例について、図面を参照して詳細に説明する。図１３は、自動車用携帯機器ホルダの正面側から見た斜視図、図１４は、保持部の向きを変えた状態を示す底面図、図１５は、自動車用携帯機器ホルダの右側面図である。
【００２９】
自動車用携帯機器ホルダの本体（２１）は、保持部（２１ａ）とフロントケース（２１ｃ）とリアケース（２１ｄ）とベース部（２１ｂ）とから構成される。該保持部（２１ａ）は、その背面側に備えられたフロントケース（２１ｃ）と軸支部（２１ｅ）によって展開可能に接続され、フロントケース（２１ｃ）はその背面側に備えられたリアケース（１ｃ）と軸支部（２１ｆ）によって展開可能に接続され、さらに図１４に示されるようにリアケース（１ｃ）の底面とベース部（２１ｂ）とは軸支部（２１ｇ）によって保持部（２１ａ）とフロントケース（２１ｃ）とリアケース（２１ｄ）とを左右方向に首振り可能に軸支して構成される。
【００３０】
このように構成された本体（２１）は、該ベース部（２１ｂ）の背面に備えられた取付フック（３）を、自動車のエアコン吹き出し口のルーバーに掛け留めることで装着される。
【００３１】
保持部（２１ａ）は、スマートフォンやデジタル音楽プレイヤーなどの携帯機器（４）のディスプレイ全体の視認とタッチパネル操作が可能に前面を解放し携帯機器（４）の左右と底面をホールドして保持するように構成される。
【００３２】
図１６は、自動車用携帯機器ホルダを展開した状態を示す右側面図、図１７は、自動車用携帯機器ホルダを展開した状態を示す正面側から見た斜視図である。まず、フロントケース（２１ｃ）の上方を手前側（図では左方向に）に引いて展開することで軸支部（２１ｆ）を中心に回動して上方が展開され飲料容器（５）を保持するスペースである飲料容器保持部（２１ｈ）が出現する。そのままでは、保持部（２１ａ）に保持した携帯機器（４）が下を向いてしまうので、保持部（２１ａ）の下方を手前側（図では左方向に）に引いて展開することで保持した携帯機器（４）を上に向けてディスプレイの視認性が最適になるように調整する。
【００３３】
以上のように構成した本体（２１）は、保持部（２１ａ）に携帯機器（４）を保持すると同時に、飲料容器保持部（２１ｈ）に飲料容器（５）も保持することができる。保持部（２１ａ）は左右方向かつ上下方向に首振りが可能であるので運転者あるいは助手席の乗員は、携帯機器（４）のディスプレイを真正面から視認することができ表示された情報を確実に視認し、タッチパネル操作を確実に行うことが可能となる。さらに本体（２１）は、自動車のエアコン吹き出し口に装着されているので、保持した飲料容器をエアコンの冷風や温風によって保冷、保温をすることが可能となりさらなる使い勝手を向上させた。
【００３４】
なお、図１０乃至図１２に示された本体（１１）も保持部（１１ａ）の背面側に飲料容器（５）を保持させるスペースである飲料容器保持部（１１ｆ）があるので、保持部（１１ａ）に携帯機器（４）を保持すると同時に、飲料容器（５）も保持することができ必要に応じて飲料容器（５）を保持すれば前記同様に保冷、保温をすることが可能である。
【符号の説明】
【００３５】
１    本体
１ａ  保持部
１ｂ  ベース部
１ｃ  軸支部
１ｄ  軸支部
１１  本体
１１ａ  保持部
１１ｂ  ベース部
１１ｄ  ガイド
１ｅ    ガイドレール
１ｃ    軸支部
１１  本体
１１ａ  保持部
１１ｂ  ベース部
１１ｄ  ガイド
１１ｅ  ガイドレール 
１１ｆ  飲料容器保持部
２１  本体
２１ａ  保持部
２１ｂ  ベース部
２１ｃ  フロントケース
２１ｄ  リアケース
２１ｅ  軸支部
２１f  軸支部
２１ｇ  軸支部
２１ｈ  飲料容器保持部
３    取付フック
４    携帯機器
５    飲料容器
【図１】
2013256239.tif 000003
【図２】
2013256239.tif 000004
【図３】
2013256239.tif 000005
【図４】
2013256239.tif 000006
【図５】
2013256239.tif 000007
【図６】
2013256239.tif 000008
【図７】
2013256239.tif 000009
【図８】
2013256239.tif 000010
【図９】
2013256239.tif 000011
【図１０】
2013256239.tif 000012
【図１１】
2013256239.tif 000013
【図１２】
2013256239.tif 000014
【図１３】
2013256239.tif 000015
【図１４】
2013256239.tif 000016
【図１５】
2013256239.tif 000017
【図１６】
2013256239.tif 000018
【図１７】
2013256239.tif 000019